(57)【要約】      （修正有）【課題】クリップ本体の掛部面に鋭角なカッター部を設け、ペンやボールペン等の筆記具にクリップ本体を設けてある掛部にペーパーカッター機能を設け、封筒などの開封や単紙などの引き裂きに簡易カッターで、綺麗に裂くことが出来るようにする。【解決手段】筆記具体１に附随するキャップ２等に設けられるクリップ本体３、又は筆記具体１等の頭部などにクリップ本体３を設け、クリップ本体３の掛部５面に片面もしくは両側面部を鋭角にカットするように設け、ペーパーカッター４部を設けることにより紙を綺麗に裂くことに役立つ。【選択図】図１
0003110321.tif 000002
【実用新案登録請求の範囲】
【請求項１】
筆記具体に附随するキャップ等に設けられるクリップ本体、又は筆記具体等の頭部などにクリップ本体を設け、クリップ本体の掛部面に片面もしくは両側面部を鋭角にカットするように設け、ペーパーカッター部を設ける。封筒などの開封部にクリップ本体の掛部の先端を差込む、差込むに当り、掛部に設けてある圧接凸部を開封部の端部から挿入しクリップ本体の掛部面に設けられた鋭角にカットされた形状の働きは、簡易な紙等は容易に裂くことが出来、筆記具体に設けられるクリップ等の材質は主にアクリル系樹脂などのプラスチック材質等で出来ているが、その他の材質や材料使用も含み形状をキャップにすることができクリップ部を設けることができる場合はその他の材質等使用も可能でありその効果は同じである但し、素材の選択に関わらず、刃物の代用にならない形状に仕上げ工夫を考慮して有り、クリップ本体の掛部面に設けられ鋭角にカットされた形状の働きは十分なペーパーナイフ効果を発揮し使用用途面では簡易な単紙などもカット出来るが刃物の代用にはならない、このような安全とうも考慮したクリップ本体の掛部面にペーパーナイフ部を設けた事を特徴とするペーパーカッター付クリップ。
【考案の詳細な説明】
【技術分野】
【０００１】  本考案は、筆記具体に附随するキャップ等、又は筆記体等の頭部などにクリップ本体を設ける、クリップ本体の掛部面に片面もしくは両側面部を鋭角にカットするように、ペーパーカッター部を設け、封筒などの開封や単紙などをカット出来る事に関するものである。
【背景技術】
【０００２】  封筒などの開封においては、挟みやカッターナイフ等もしくは定規さらには封筒の開口部を無理に手等で裂いた、また電動式等の専用開封器具などを利用した、単紙なども同様である。
【考案の開示】
【考案が解決しようとする課題】
【０００３】  鋏やカッターナイフなどの道具や電動式等の専用開封器具等は備えてある場所にいる時でないと使用に不便が有り、また無理に手などで裂こうとすると、封筒の中の封書迄裂いてしまう恐れも有り、カット口が綺麗でなく。従って、いつでも簡易に見につけている事のおおい、ペンやボールペン等の筆記具にペーパーカッター等の機能を一体化することにより、いつでも使用が可能になり前述の欠点を解決しようとするものである。
【課題を解決するための手段】
【０００４】  本考案は、筆記具体に附随するキャップ等、又は筆記体等の頭部などにクリップ本体を設けクリップ本体の掛部面に鋭角なカッター部を設ける、片面もしくは両側面部を鋭角にカットするように掛部に設けカッター機能を設けたことにより問題点を解決している。
【考案の効果】
【０００５】上述の様に、本考案のペーパーカッターの機能を筆記具体に附随するキャップ等、又は筆記体等の頭部などにクリップ本体を設けクリップ本体を一体化することにより、ペンやボールペン等の筆記具にペーパーカッターの機能を設けたので、生活用具や仕事用具としても、持ち歩く事やバック又は鞄もしくは服等にも身につけて置く事が多く、筆記具として欠かせない用具であるゆえに、筆記体に設けたキャップやクリップに設けたペーパーカッター機能効果は便利な簡易用具として役立つ。
【考案を実施する為の最良の形態】
【０００６】  クリップ本体の掛部面に鋭角なカッター部を設ける、片面もしくは両側面部を鋭角にカットするように掛部に設けカッター機能を設ける。このようにペンやボールペン等の筆記具にはクリップ本体を設けてあるゆえにクリップ本体の掛部面にペーパーカッターの機能を設けることにより、使うときの利用と使用機会が容易に得られる事となる。
【実施例】
【０００７】以下、添付図面に従って一実施例を説明する。筆記具体１，１ａに附随するキャップ２等に設けられるクリップ本体３，３ａ、又は筆記具体１，１ａ等の頭部などにクリップ本体３，３ａを設け、クリップ本体３，３ａの掛部５面に片面もしくは両側面部を鋭角にカットするように設け，ペーパーカッター４，４ａ部を設ける。【０００８】紙封筒７などの開封部８にクリップ本体３，３ａの掛部５の先端を差込む、差込むに当り、掛部５に設けてある圧接凸部６を開封部８の端部から挿入しクリップ本体３の掛部５面に設けられた鋭角にカットされた形状の働きは、簡易な紙等は容易に裂くことが出来る。【０００９】  本考案の一実施例は上述の如き構成からなる者であるから、筆記具体１，１ａに設けられるクリップ等の材質は主にアクリル系樹脂などのプラスチック材質で出来ているが、クリップ本体３，３ａの掛部５面に設けられ鋭角にカットされた形状の働きは十分なペーパーカッター４，４ａ効果を発揮し、また用途面では簡易な単紙などもカット出来、材質等からも判断出来るように、手等は切れたりせず安全な条件を満たすように形状効果を考慮したペーパーカッター４，４ａであり、使用後においてもクリップ本体３，３ａはポケット等に容易に挟む事が出来る為、従来の筆記具体の使用するにあたっても、筆記具体１，１ａ等役割においても構造効果を変える事もない、このように筆記の利用には干渉する事がなく、むしろ封書の開封や不必要になった用紙を利用してのメモ紙に役ただせる事等の紙を裂くと言う作業においても、利用する事が多く、また持ち歩く等、身につけて持ち歩く事等の多い、筆記体の本体の一部を利用してペーパーをカッターするにあたり、筆記体に設けたクリップ用いて利用出来，使用後は筆記体のクリップとして収められる。
【図面の簡単な説明】
【００１０】
【図１】  本考案の斜視図である。
【図２】  本考案の側面図を示す斜視図である。
【図３】  本考案の他の実施例を示す斜視図である。
【図４】  本考案の他の実施例を示す斜視図である。
【図５】  本考案の使用状態の一例を示す斜視図。
【図６】  本考案の使用状態の一例を示す斜視図。
【符号の説明】
【００１１】  １．筆記具体
１ａ．筆記具体
２．キャップ
３．クリップ本体
３ａ．クリップ本体
４．ペーパーカッター
４ａ．ペーパーカッター
５．掛部
６．圧接凸部
７．紙封筒
８．開封部
９．メモ紙
【図１】
0003110321.tif 000003
【図２】
0003110321.tif 000004
【図３】
0003110321.tif 000005
【図４】
0003110321.tif 000006
【図５】
0003110321.tif 000007
【図６】
0003110321.tif 000008
【手続補正書】
【提出日】平成16年10月19日(2004.10.19)
【手続補正１】
【補正対象書類名】実用新案登録請求の範囲
【補正対象項目名】請求項１
【補正方法】変更
【補正の内容】
【請求項１】
（１）筆記具体に附随するキャップ等に設けられるクリップ本体、又は筆記具体等の頭部直接に設けたクリップ本体。
（２）クリップ本体の掛部面に片面もしくは両側面部を鋭角にカットするように設け、カッター部を設ける。
（３）封筒などの開封部にクリップ本体の掛部の先端を差込み、カッター部で裂く。
（４）掛部に設けてある圧接凸部を開封部の端部から挿入し、カッター部で裂く。
（５）クリップ本体の掛部面に設けられた鋭角にカットされた形状の働きにより、簡易な紙等を容易に綺麗に裂くことが出来る。
（６）筆記具体に設けられるクリップ本体等の材質は主にアクリル系樹脂などのプラスチック材質等でつくられているが、クリップ本体を鋭角にカット形状に設けることにより、筆記具兼ペーパーカッタ効果を発揮し、簡易な用紙を綺麗にカットすることが出来る。
（７）クリップ本体等の材質はその他のアルミ材質や軽量金属材料などを使用しても同効果を発揮させ用いる事も可能である。
（８）形状をキャップにすることができクリップ部を設けることができる場合はその他の材質等使用も可能でありその効果は同じである。
（９）素材の選択に関わらず、刃物の代用にならない仕上げ工夫を考慮し、安全な形状カット加工に仕上げて刃の役割の刃は間引き仕上げ形状に加工してある。
（１０）クリップ本体の掛部面に設けられ、間引き仕上げにカットされた形状であるが、その効果は十分なペーパーナイフ効果を発揮する。
（１１）使用用途面では簡易な単紙などもカット出来るが刃物の代用にはならない。
（１２）素材が貴金属を用いた場合においても、刃物の代用にならない形状範囲に仕上げ、服などを裂いたり、手の指を切れるような鋭利な形状にはカット仕上げは不必要であり、ペーパーが簡易に裂ける程度の働きを要するカット仕上げに設ける。
以上の構成からなり、このような安全とうも考慮したクリップ本体の掛部面にペーパーナイフ部を設けた事を特徴とするペーパーカッター付クリップ。
【手続補正書】
【提出日】平成17年2月17日(2005.2.17)
【手続補正１】
【補正対象書類名】実用新案登録請求の範囲
【補正対象項目名】全文
【補正方法】変更
【補正の内容】
【実用新案登録請求の範囲】
【請求項１】
筆記具体に付随するクリップ本体に設けられる掛部にペーパーカッターを設けた事を特徴とするペーパーカッター付クリップ。